(57)【要約】【課題】            尖端部を圧雪氷と路面との間に圧入するなどして、体重を利用して持ち上げることにより、老人・女性・子供などでも圧雪氷を安全かつ速やかに破砕可能にする。【解決手段】        「く」の字状の曲折部２ａ、２ｂを有する一対の棒状部材１ａ、１ｂを、上端側の握り部１ｃで連結するとともに、その下端側に複数の尖端部３ａ、３ｂを設けた構成である。【選択図】          図１
0003136603.tif 000002
【実用新案登録請求の範囲】
【請求項１】
「く」の字状の曲折部を有する一対の棒状部材が、上端側の握り部で連結されるとともに、その下端側に複数の尖端部が設けられていることを特徴とする氷破砕機。
【請求項２】
前記曲折部より上方の前記棒状部材間に、人が足を乗せて踏み込み操作するための踏み込み部材が架設されていることを特徴とする請求項１に記載の氷破砕機。
【請求項３】
前記曲折部が、円弧状の曲折形態であることを特徴とする請求項１に記載の氷破砕機。
【請求項４】
前記棒状部材の前記曲折部を挟む上下部間に、第１の補強部材が架設されていることを特徴とする請求項１に記載の氷破砕機。
【請求項５】
前記尖端部付近の前記棒状部材間に、第２の補強部材が架設されていることを特徴とする請求項１に記載の氷破砕機。
【考案の詳細な説明】
【技術分野】
【０００１】
本考案は、寒冷地等において路上に氷結する圧雪氷を破砕するのに用いる氷破砕機に関する。
【背景技術】
【０００２】
従来から、寒冷地等で積雪を除去するのに、ショベルにハンドルを取り付けたスノーダンプと呼ばれるものが広く使用されている。このスノーダンプは、ハンドルの操作によってショベルを路面上の積雪中に先端部から挿し込み、このショベル上に雪を載せて引き戻し走査するように使用され、これによりその路面の除雪を行うことができる。従って、このスノーダンプの使用により雪の搬出作業を効率化することができる（例えば、特許文献１参照）。
【０００３】
一方、積雪状態の道路を人や車両がそれぞれ歩行または走行することによって、残雪が圧雪状態となる。また、この圧雪状態の雪は昼夜の気温差によって氷結および溶解を繰り返し、下部（下層）の残雪が硬くて融けにくい圧雪氷に変化する。この圧雪氷は路面から容易に剥離しにくくなり、人や車両のスリップ事故を招く。このような圧雪氷を前記スノーダンプを使用しても除去、搬出することができない。
【０００４】
このような圧雪氷を除去するのに、従来からつるはし（鶴嘴）が用いられている。このつるはしを上方から振り下ろし、圧雪氷の表面に打ち込むことによって、この圧雪氷をばらばらに破砕することができる。
また、先が尖った鉄棒や鉄棒の先端に破砕刃を取り付けたものを用いて、鉄棒を上下方向に操作することによって、鉄棒の先端や前記破砕刃を圧雪氷の上に垂直方向に打ち込み、これを破砕するものも提案されている（例えば、特許文献２参照）。
【特許文献１】特開平０９‐０８８０２８号公報
【特許文献２】特開２００６‐２４１９５８号公報
【考案の開示】
【考案が解決しようとする課題】
【０００５】
しかしながら、つるはしを用いて圧雪氷を破砕する作業は、老人・女性・子供などには大きな負担であり、割れた氷の塊が周辺に飛散するため危険を伴うという不具合がある。また、鉄棒や破砕刃を持つ鉄棒を使用する氷の破砕作業には、これを圧雪氷に打ち込むための力が不十分であると圧雪氷が割れないという不都合がある。また、その打ち込み作業は老人・女性・子供などには負担が大きい。
【０００６】
本考案の目的は、前記のような従来の問題点を解決することであり、尖端部を圧雪氷と路面との間に圧入しまたは圧雪氷の端面に衝き入れ、体重を利用して持ち上げることにより、老人・女性・子供などでも大きな労力を使うことなく、圧雪氷を安全かつ速やかに破砕することができる氷破砕機を得ることにある。
【課題を解決するための手段】
【０００７】
前記目的達成のために、本考案にかかる氷破砕機は、「く」の字状の曲折部を有する一対の棒状部材が、上端側の握り部で連結されるとともに、その下端側に複数の尖端部が設けられていることを特徴とする。
この構成により、握り部を操作して、尖端部を圧雪氷と路面との間に圧入したり、圧雪氷の端面に突き刺したりして、前記曲折部を中心に押し下げることにより、尖端部によって圧雪氷を上方に浮き上げることができる。この浮き上げによって、圧雪氷はひび割れ状態になり、このひび割れ状態がさらに破砕状態に進行する。この結果、圧雪氷は簡単に破砕し、これの除去作業が迅速かつ容易になる。
なお、本考案で「圧雪氷」とは、積雪状態の道路や公園の通路などを、人や車両がそれぞれ歩行または走行することによって残雪が圧雪状態になり、この圧雪状態の雪が溶解および氷結して硬くて融けにくい氷に凍結したものだけでなく、路面が凍結した氷や雪が溶解して凍結した氷、等も含む意味である。
【０００８】
また、本考案にかかる氷破砕機は、前記曲折部より上方の前記棒状部材間に、人が足を乗せて踏み込み操作するための踏み込み部材が架設されていることを特徴とする。
この構成により、踏み込み部材に足を乗せて体重を掛けるという簡単な作業により、圧雪氷と路面との間に圧入された尖端部又は圧雪氷の端面に衝き入れられた尖端部は、圧雪氷にこれを路面から剥離または破砕する方向に大きな荷重を及ぼすことができる。従って、老人・女性・子供などにも腕力を用いずに、体重を利用して圧雪氷を容易に破砕することができる。
【０００９】
また、本考案にかかる氷破砕機は、前記曲折部が、円弧状の曲折形態であることを特徴とする。
この構成により、握り部を上下操作する際に、曲折部が位置を変えながら路面に対して滑らかに接触するため、尖端部の上下動も滑らかになり、過大な力を作用させずに圧雪氷をひび割れから破砕に効果的に導くことができる。
【００１０】
また、本考案にかかる氷破砕機は、前記棒状部材の前記曲折部を挟む上下部間に第１の補強部材が架設されていることを特徴とする。
この構成により、前記曲折部の角度を一定に維持できるとともに、曲折部分の破損を防でき、氷破砕機の耐久性を向上することができる。
【００１１】
また、本考案にかかる氷破砕機は、前記尖端部付近の前記棒状部材間に、第２の補強部材が架設されていることを特徴とする。
この構成により、尖端部付近で大きな荷重を受ける棒状部材が変形するのを確実に防止し、尖端部による氷割り作業に支障が生じることを回避することができる。
【考案の効果】
【００１２】
本考案は、下記のような効果を有する。
（１）握り部を押し下げ操作することにより、尖端部を圧雪氷と路面との間に圧入したり、圧雪氷の端面に突き刺したりして、圧雪氷をひび割れ状態にし、さらに破砕状態に導いて、何人も簡単かつ迅速に圧雪氷を破砕することができる。
（２）老人・女性・子供などでも踏み込み部材に足を乗せて体重を掛けるという簡単な作業により、尖端部に圧雪氷を剥離または破砕する方向に大きな荷重を及ぼすことができ、圧雪氷を容易に破砕することができる。
（３）握り部を上下操作することにより、曲折部が路面に対し位置を変えながら滑らかに接触することとなり、尖端部の動きを圧雪氷に対し滑らかに作用させて、確実にひび割れから破砕に至らしめることができる。
（４）前記曲折部の角度を一定に維持するように、また曲折部分が破損することがないように棒状部材を第１の補強部材によって補強することで、氷破砕機の耐久性を向上することができる。
（５）第２の補強部材によって、尖端部付近で棒状部材が変形するのを防止することで、尖端部による氷割り作業に支障が生じることを確実に回避することができる。
【考案を実施するための最良の形態】
【００１３】
以下に、本考案の実施の形態を、図面を参照しながら説明する。
本実施の形態による氷破砕機は、基本的に、「く」の字状の曲折部を有する一対の棒状部材を、上端側の握り部で連結するとともに、その下端側に複数の尖端部を設けた構成である。
従って、この氷破砕機を用い、尖端部を圧雪氷と路面との間に圧入しまたは圧雪氷の端面に衝き入れ、体重を利用して屈曲部を中心に持ち上げることにより、老人・女性・子供などでも腕力を中心とする大きな労力を使うことなく、前記圧雪氷を安全かつ速やかに破砕することができる。
【００１４】
図１は、本考案の実施の形態による氷破砕機を示す斜視図、図２は、この氷破砕機の使用状態を示す説明図、図３は、この氷破砕機の他の使用状態を示す説明図である。
図１乃至図３において、本実施の形態による氷破砕機は、棒状部材１ａ、１ｂと握り部１ｃとを有する。棒状部材１ａ、１ｂおよび握り部１ｃは鋼棒や鋼管などによって略長コ字状に曲折するように加工され（折り曲げられ）ている。棒状部材１ａ、１ｂは全体として人の背丈程度の長さを持ち、握り部１ｃは人の肩幅程度の幅を持つ。
【００１５】
また、棒状部材１ａ、１ｂは、長手方向（縦方向）の途中で略「く」の字状の所定角度に曲折され、この曲折部２ａ、２ｂは路面に対し滑らかに位置を変えながら接触する円弧状をなす。この円弧状の曲折部２ａ、２ｂによって、棒状部材１ａ、１ｂの操作を円滑かつ軽快に行えるようにしている。
【００１６】
棒状部材１ａ、１ｂの下端（先端）には、先端が尖った棒状の尖端部３ａ、３ｂが設けられ、または取り付けられている。この尖端部３ａ、３ｂの先端は、僅かな外力の印加によって圧雪氷と路面との間に圧入可能または圧雪氷の端面に打ち込み可能な形状となっている。
これらの尖端部３ａ、３ｂは耐摩耗性に富む鋼材などからなる。図１では、尖端部３ａ、３ｂは、鋼管からなる棒状部材１ａ、１ｂの下端に一部を挿入し、さらに溶接等により固定したものを示している。
本例の先端部３ａ、３ｂは、棒状部材１ａ、１ｂの下端に設けた場合を示しているが、これは棒状部材１ａ、１ｂの下端側に複数が設けられていればよく、この実施の形態に制限されるものではなく、例えば、フォーク状に設けられていてもよい。
【００１７】
前記略「く」の字状に曲折された曲折部２ａ、２ｂより上方の前記棒状部材１ａ、１ｂ間には、人が足を掛けて踏み込むための踏み込み部材４が水平方向に架設されている。この踏み込み部材４は棒状部材１ａ、１ｂと同様の鋼材からなり、溶接により棒状部材１ａ、１ｂに両端が固定されている。なお、この踏み込み部材４には必要に応じて滑り止め処理が施される。
【００１８】
前記各棒状部材１ａ、１ｂには、前記曲折部２ａ、２ｂを中心として（挟むようにして）、上下部の各１箇所に第１の補強部材（補強棒）５ａ、５ｂの各一端が溶接等により固定されている。この第１の補強部材５ａ、５ｂは前記同様の鋼材により作られている。
これによって、握り部１０を操作する際に、各棒状部材１ａ、１ｂが曲折部２ａ、２ｂで変歪、変形または破壊するのを確実に回避することが可能になる。
【００１９】
また、前記尖端部３ａ、３ｂ付近の各棒状部材１ａ、１ｂ間には、第２の補強部材６が溶接等により架設されている。第２の補強部材６は、尖端部３ａ、３ｂが圧雪氷に対して力を及ぼす際に大きな荷重を受けて変形や破損するのを確実に防止するように機能する。
【００２０】
次に、前記構成になる氷破砕機の使用方法を図２および図３と共に説明する。
まず作業者は、この氷破砕機を作業現場に持ち込み、圧雪氷７ができている路面８上に置く。圧雪氷の上に新雪などが積もっているような場合には、必要に応じて除雪を予め行っておき、圧雪氷の存在を確認できるようにしておく。
【００２１】
続いて、作業者は、氷破砕機の握り部１ｃを両手で握って、図２のように曲折部２ａ、２ｂより下方の棒状部材１ａ、１ｂを路面上に滑らせるように操作し、さらに尖端部３ａ、３ｂを、その先端から圧雪氷７と路面８との間に圧入する。
さらに、路面８上の一部の圧雪氷７が路面８から剥離されるように、尖端部３ａ、３ｂを上方に僅か持ち上げる。
【００２２】
この尖端部３ａ、３ｂの持ち上げ操作により、圧雪氷７には次第にひび割れが発生し、このひび割れがさらに広がっていく。ここで、作業者は、握り部１ｃを手で握った状態で、踏み込み部材４上に片足または両足を掛けて、体重を乗せる。
これによって、棒状部材１ａ、１ｂは曲折部２ａ、２ｂを中心として、図２の矢印Ａ方向に回動し、尖端部３ａ、３ｂは上方に浮上して、ひびが入った圧雪氷７をさらに破砕に導くこととなる。この時、曲折部２ａ、２ｂは、梃の原理における支点となり、少しの力で容易に圧雪氷７を破砕することができることとなる。
こうして破砕された圧雪氷７は、スノーダンプ等を使用することにより路面８から運び出し、歩行や車両の走行に邪魔にならないところへ廃棄することができる。
【００２３】
また、前記圧雪氷７の厚みが大きく、さらに硬くて重い場合には、この圧雪氷７の端面に尖端部３ａ、３ｂの先端を突き刺すように、握り部１ｃを操作してもよい。この場合には、路面８から剥離しにくい圧雪氷７を容易に破砕することができる。
【００２４】
さらに、圧雪氷７が広範囲に亘る場合には、氷破砕機を前記とは表裏反対にし、握り部１ｃを操作して、図３に示すように振り上げた後振り下ろして、尖端部３ａ、３ｂの先端を圧雪氷の表面に対し突き立てるようにしてもよい。これにより、圧雪氷の表面に大きな破砕力を加えることができるため、氷割り作業の一方法として、必要に応じ適用可能である。
【００２５】
このように、本実施の形態にあっては、「く」の字状の曲折部２ａ、２ｂを有する一対の棒状部材１ａ、１ｂを、上端側の握り部１ｃで連結するとともに、各下端に尖端部３ａ、３ｂを設けた構成としたことにより、尖端部３ａ、３ｂを圧雪氷７と路面８との間に圧入しまたは圧雪氷７の端面に衝き入れ、作業者が体重を利用して持ち上げることにより、老人・女性・子供などでも大きな労力を使うことなく、圧雪氷を路面から剥がすことができ、さらに続いて速やかに破砕することができることとなる。
【００２６】
なお、前記実施の形態は、本考案を制限するものではなく、本考案は、要旨を逸脱しない範囲において種々の変形が許容される。
【産業上の利用可能性】
【００２７】
本考案の氷破砕機は、老人・女性・子供などでも大きな労力を使うことなく、体重を利用して圧雪氷を安全かつ速やかに破砕することができるという効果を有し、寒冷地等において路面上に氷結する圧雪氷を破砕するのに用いる氷破砕機等に有用である。
【図面の簡単な説明】
【００２８】
【図１】本考案の実施の形態による氷破砕機を示す斜視図である。
【図２】図１における氷破砕機の使用方法を示す説明図である。
【図３】図１における氷破砕機の他の使用方法を示す説明図である。
【符号の説明】
【００２９】
１ａ、１ｂ  棒状部材
２ａ、２ｂ  曲折部
３ａ、３ｂ  尖端部
４  踏み込み部材
５ａ、５ｂ  第１の補強部材
６  第２の補強部材
【図１】
0003136603.tif 000003
【図２】
0003136603.tif 000004
【図３】
0003136603.tif 000005